(57)【要約】【課題】払拭布を清掃ヘッドに容易且つ確実に係止可能とする。【解決手段】清掃ヘッドに、払拭布が内部に押し込まれて、払拭布が係脱自在に係止される係止部１３が備えられ、係止部１３に、係止部１３の略中心部からその外周部に延びる直線状のスリット１５〜２０が、周方向に間隔を置いて、配設されている。係止部１３の略中心部において、スリット１５，１６，１８，１９の一端が隣接するスリット１５〜２０に接し、隣接するスリット１５〜２０の各接点の位置が異なるものとされることで、係止部１３の略中心部に、スリット１５，１７，１８，２０の中心側端部により構成されたジグザグ状のジグザグ部３１が形成されている。係止部１３における、隣接するスリット１５〜２０間は、清掃ヘッドの内外方向に弾性変形可能な弾性舌片２１〜２６とされている。【選択図】  図７
2005279132.tif 000002
【特許請求の範囲】
【請求項１】
清掃ヘッドに払拭布が巻付けられて、係脱自在に係止されるものにおいて、
清掃ヘッドに、
払拭布が内部に押し込まれて、払拭布が係脱自在に係止される係止部
が備えられ、
係止部に、係止部の略中心部からその外周部に延びる直線状のスリットが、周方向に間隔を置いて、配設され、
係止部の略中心部において、スリットの一端が隣接するスリットに接し、
隣接するスリットの各接点の位置が異なるものとされることで、
係止部の略中心部に、スリットの中心側端部により構成されたジグザグ状のジグザグ部が形成され、
係止部における、隣接するスリット間が、清掃ヘッドの内外方向に弾性変形可能な弾性舌片とされた清掃用具。
【請求項２】
隣接するスリットのなす角度が、３０〜１１０°とされた請求項１記載の清掃用具。
【発明の詳細な説明】
【技術分野】
【０００１】
本発明は、床面等の清掃に使用される清掃用具に関する。
【背景技術】
【０００２】
床面等の払拭に使用される清掃用具には、支持ロッドと、支持ロッドに自在継手を介して連結された清掃ヘッドと、清掃ヘッドに備えられる払拭布を有するものがある。上記清掃ヘッドは、本体と、本体の下面に備えられた弾性体を有する。払拭布は、本体及び弾性体に巻付けられるもので、その幅方向中央部が弾性体の下面に配設され、その幅方向両端部が本体上に巻き上げられて、本体に係止される。
【０００３】
ところで、上記従来においては、払拭布を本体に容易且つ確実に係止（固定）できるものがなく、この点に関する改善が要望されていた。
【発明の開示】
【発明が解決しようとする課題】
【０００４】
解決しようとする問題点は、払拭布を本体に容易且つ確実に係止できなかった点である。
【課題を解決するための手段】
【０００５】
本発明は、上記問題点を解決したもので、その特徴とするところは、清掃ヘッドに払拭布が巻付けられて、係脱自在に係止されるものにおいて、清掃ヘッドに、払拭布が内部に押し込まれて、払拭布が係脱自在に係止される係止部が備えられ、係止部に、係止部の略中心部からその外周部に延びる直線状のスリットが、周方向に間隔を置いて、配設され、係止部の略中心部において、スリットの一端が隣接するスリットに接し、隣接するスリットの各接点の位置が異なるものとされることで、係止部の略中心部に、スリットの中心側端部により構成されたジグザグ状のジグザグ部が形成され、係止部における、隣接するスリット間が、清掃ヘッドの内外方向に弾性変形可能な弾性舌片とされた点である。
尚、隣接するスリットのなす角度が、３０〜１１０°とされることもある。
【発明の効果】
【０００６】
本発明によれば、係止部の略中心部に、スリットの中心側端部により構成されたジグザグ状のジグザグ部が形成されているので、係止部の略中心部に払拭布を押し込むだけで、ジグザグ部が、払拭布に、ジグザグ状に食い込んで、払拭布を係止、固定する。これにより、払拭布を係止部に容易且つ確実に係止、固定できる。
又、本発明では、スリット自体は直線状であると共に、隣接するスリットの各接点の位置を異なるものとすることで、係止部の略中心部に、スリットの中心側端部により構成されたジグザグ部を形成している。このように、本発明では、簡易な構成で、ジグザグ部を形成しているので、ジグザグ部の形成を容易且つローコストで行なえる。
【発明を実施するための最良の形態】
【０００７】
本発明は、払拭布を本体に容易且つ確実に係止、固定できる清掃用具を提供する。
【実施例１】
【０００８】
以下、本発明の実施例を図面に基づき説明すると、図１及び図２に示すように、清掃用具は、支持ロッド（柄）１と、支持ロッド１に自在継手（又は、球面軸受）２を介して連結された清掃ヘッド３と、清掃ヘッド３に巻装される（巻き付けられる）払拭布４を有するもので、床面等の払拭に使用される。この床面とは、フローリング、畳、ビニール床等の床面、壁面、天井面等の、従来のこの種の清掃用具において、清掃作業の対象とされているもの全てを含む概念である。
【０００９】
支持ロッド１は中空状とされて、複数の連結パイプ６を有し、これら連結パイプ６が、分離可能に連結される。
【００１０】
清掃ヘッド３は、本体８と弾性体（介装体）９を有する。
【００１１】
図３〜図５にも示すように、本体８は、高密度ポリエチレン、ポリプロピレン、ＡＢＳ樹脂（アクリロニトリルブタジエンスチレン）等の合成樹脂により形成され、例えば、インジェクション成形等により、一体成形されている。本体８は、平面視長方形状に形成されているが、本体８の平面視形状を、円形、楕円形、正方形、又は、５角形以上の多角形としてもよい。本体８の上面の中央部は、下方に凹設された凹設部１１とされ、この凹設部１１の中央部が、自在継手２を介して、支持ロッド１に連結され、これにより、支持ロッド１に清掃ヘッド３が回動自在に備えられている。
【００１２】
本体８における、凹設部１１を除く部分、即ち、外周部は、下方に開口する中空状とされており、この外周部の四隅部に、払拭布４の四隅部が係脱自在に係止される係止部１３が配設されている。各係止部１３は、他の部分よりも薄板とされて、その下方には、払拭布４を押し込むための空間１４が形成されている。
【００１３】
図６にも示すように、係止部１３には、６本の直線状のスリット（切り込み）１５〜２０が周方向に間隔を置いて配設され、隣接するスリット１５〜２０間が、上下方向（本体８の内外方向）に弾性変形可能な弾性舌片２１〜２６とされている。スリット１５〜２０は、係止部１３の略中心部から外周部に延びるもので、係止部１３の略中心部において、スリット１５，１６，１８，１９の一端が隣接するスリット１５〜２０に接し（交叉し）、隣接するスリット１５〜２０の各接点（交点）２７〜３０の位置が異なるものとされることで、係止部１３の略中心部に、スリット１５，１７，１８，２０の中心側端部により構成されたジグザグ状（波形状）のジグザグ部（波形部）３１が形成されている。図７は係止部１３の模式図で、その太線部がジグザグ部３１を示している。隣接するスリット１５〜２０のなす角度は、３０°〜１１０°とされるが、弾性舌片２１，２２，２４，２５の中心側角度を３０°以上で且つ９０°以下の鋭角にして、弾性舌片２１，２２，２４，２５を先鋭状とすれば、払拭布４の係止時に、弾性舌片２１，２２，２４，２５が払拭布に食い込み易くなり、好ましい。尚、本実施例では、スリット１７，２０は、同一直線上で、連続し、スリット１６，１９は、同一直線上に、間隔を置いて、配設され、スリット１５，１８は、異なる直線上に配設されているが、全てのスリット１５〜２０を、異なる直線上に配置してもよい。
【００１４】
弾性体９は、本体８下方に配設されて、本体８の下面中央部等に、両面テープや接着剤等により、固定されており、弾性材料、例えば、合成ゴムやスポンジ、或いは、発泡ウレタンや発泡ポリエチレン等の発泡樹脂から構成されている。弾性体９は、清掃時に、払拭布４を介して、被清掃体に当接し、これによって、被清掃体が清掃ヘッド３との接触により、損傷する惧れが少なくされると共に、被清掃体の凹凸面や曲面に対して、弾性体９、即ち、払拭布４が良好にフィットして、これらの面を良好に払拭できるようにされている。
【００１５】
払拭布４は、床面等にあるダスト類の捕集等を行なうもので、ポリエチレン、ポリエチレンテレフタレート等の合成繊維、レーヨン等の再生繊維、綿等の天然繊維、パルプ等を、単独、又は、混合して製造したシート状の不織布、織布等の内から、任意のものが使用される。払拭布４は清掃用として使用されるので、吸塵性、耐磨耗性に優れているものが好ましい。払拭布４の大きさは特に限定されるものではないが、少なくとも、払拭布４の四隅部を本体８の各係止部１３に係止できる大きさが必要とされる。尚、払拭布４に、化学着塵剤を含浸させることもある。
【００１６】
上記構成例によれば、払拭布４を係止部１３に係止する際には、係止部１３の略中心部に、払拭布４を押し込んで、弾性舌片２１を下方に弾性変形させた後、払拭布４に対する押圧を解除すると、弾性舌片２１が上方に弾性復帰し、これによって、図５に示すように、弾性舌片２１により、払拭布４が挟持されて、解除可能に係止、保持される。
【００１７】
この場合において、係止部１３の略中心部に、スリット１５，１７，１８，２０の中心側端部により構成されたジグザグ状のジグザグ部３１が形成されているので、係止部１３の略中心部に払拭布４を押し込むだけで、ジグザグ部３１が、払拭布４に、ジグザグ状に食い込んで、払拭布４を係止、固定する。これにより、払拭布４を係止部１３に容易且つ確実に係止、固定できる。
【００１８】
又、実施例では、スリット１５〜２０自体は直線状であると共に、隣接するスリット１５〜２０の各接点（交点）２７〜３０の位置を異なるものとすることで、係止部１３の略中心部に、スリット１５，１７，１８，２０の中心側端部により構成されたジグザグ状（波形状）のジグザグ部（波形部）３１を形成している。即ち、実施例では、簡易な構成で、ジグザグ部３１を形成しているので、ジグザグ部３１の形成を容易且つローコストで行なえる。
【００１９】
尚、払拭布４の係止部１３による係止を解除する際には、払拭布４を係止部１３から引き離すように力を加えれば、払拭布４の係止部１３による係止を容易に解除できる。
【００２０】
尚、実施例では、清掃ヘッドを本体と弾性体から構成したが、弾性体を無くして、本体自体を清掃ヘッドとすることもある。
【図面の簡単な説明】
【００２１】
【図１】本発明の実施例１を示す斜視図である。
【図２】図１の清掃ヘッドに弾性体及び払拭布を備えた状態を示す斜視図である。
【図３】図１の係止体の斜視図である。
【図４】図３の平面図である。
【図５】図２の一部の断面図である。
【図６】図１の係止部の平面図である。
【図７】図６の模式図である。
【符号の説明】
【００２２】
１  支持ロッド
３  清掃ヘッド
４  払拭布
１３  係止部
１５〜２０  スリット
２１〜２６  弾性舌片
２７〜３０  接点（交点）
３１  ジグザグ部
【図１】
2005279132.tif 000003
【図２】
2005279132.tif 000004
【図３】
2005279132.tif 000005
【図４】
2005279132.tif 000006
【図５】
2005279132.tif 000007
【図６】
2005279132.tif 000008
【図７】
2005279132.tif 000009